(57)【要約】【課題】取り付けが面倒でネクタイがシャツの襟のセンターから左右に乱れ又結び目が崩れ，だらしない印象を与える。不用意に引っ張られた場合危険を回避出来無い。又ネクタイが結ぶ以外にファッション製デザイン製のあるものが無い。簡単に着用出来デザインを色々変えられる、ネクタイを提供する【解決手段】最初からネクタイの形が「図１」出来ているので，ネクタイを結ぶ事も無く不慣れな人も面倒なく簡単にシャツの襟下の左右の決まった部分に、ネクタイ本体をボタンで着用できる。又ネクタイ本体が出来ているので、結び目を作ることも無いし結び目が崩れる事も無い、又ネクタイをボタンで留めるので不用意に引っ張られた場合簡単に取れる、又結び目の三角形状の形や、色、柄を変えることで色々デザインを創ることが出来る【選択図】図１
2012251285.tif 000002
【特許請求の範囲】
【請求項１】
本商品のネクタイは最初から形が出来ている、商品をシャツの襟の下にボタンで簡単に着用出来るので場所と時間を気にしないし、又シャツの襟の下決まった場所にネクタイをボタンで着用するので、シャツのセンターから左右に乱れる事も無い。又少しネクタイを緩める時は、ネクタイの三角形状「図５」の所が上下にスライド出きるので下に引いて楽に緩める事ができる。又不用意に引っ張られた場合でもネクタイをボタンで留めるので危険を回避する事ができる。
【請求項２】
本商品ネクタイの結び目の三角形状の素材は、ポリウレタンとスポンジゴムと崩れ無い物であれば材質は限定しない。ネクタイ結び目の三角形状「図５」を色んな形に変える事でファッション製を高める事が出来る、又結び目の三角形状「図５」を包む「図６」の布を色や柄を変える事が出来る。「図７」も１本ずつから色や柄を買えるこが出来てデザインの幅が広がる、又三角形状「図５」の大きさと形を変える事で子供用、若い世代用のファッション製のあるネクタイも作りだせる。
【発明の詳細な説明】
【発明の詳細な説明】
【技術分野】
【０００１】本発明は最初からネクタイの形が出来ていて、早く綺麗に付けられ又結び目の三角形状が変えられるので色々なネクタイの型をデザイン出来る。
【背景技術】
【０００２】結ぶのが面倒で、結ぶのに時間を要する、又子供、若い世代の為のファッション製のあるデザインが無い。
【発明が解決しようとする課題】
【０００３】従来のネクタイは（１）結ぶのに時間を要した。（２）結び目がシャツのセンターから左右に乱れる。（３）結び目が崩れ、だらしない印象を与える。
（４）不用意に引っ張られた場合，結び目が絞められて危険を回避出来ない。
（５）ネクタイの結び目が三角に決まっているのでデザイン製に欠けている。
【課題を解決する手段】
【０００４】本発明は大胆に発想を変えて最初からネクタイの形が出来ている物をシャツの襟の下決まった所にボタンで着用するので上の（１．２．３．４）はクリア出来る。又上の（５）の場合結び目の三角形状を分断作成するので色々な形や柄にも出来る。
【発明の効果】
【０００５】本発明により今までネクタイを結ぶのから、発想を変えて最初からネクタイの形を作りネクタイを面倒で着用する機会の少ない成人、子供、若い世代にもネクタイを簡単に着用する事と、ファッション製を高める事によりアクセサリー感覚で着用できる。
【発明を実施するための形態】
【０００６】本発明の図面を参考に説明する
（Ａ）「図５」結び目三角形状を「図４」のネクタイ表部分の布で包み作成する。
（Ｂ）「図５」「図４」を作成したあと「図７」を「図５」のＡの穴から入れて上のＢ，Ｃの穴から１本ずつ出す。（Ｃ）その後「図６」を作成した商品の上から包みボタンで留める、「図６」を留める作業は結び目の形により変える事もありえる。一連の作業が終わり「図１」のネクタイの形になる。（Ｄ）「図１」の様に左右にボタン（凸）を付ける。そのネクタイをシャツの襟の下決まった場所に付けてあるボタン（凹）に着用する。（Ｅ）デザインにより「図１」にボタンの穴を開けてシャツにボタンを付ける方法も有る。（Ｆ）シャツの襟にボタンを付けるのがいやな人の為に「図７」の左にボタンの穴を右にボタンを付けて首の後ろで着用するのもあり。（Ｇ）デザインにより「図５」と「図７」を組み合わせるネクタイもある。（Ｈ）デザインには「図６」にワンポイント、アクセサリーを付ける事も出来る。
【発明の効果】
【０００７】本発明は綺麗簡単に付けられ、結び目の三角形状を変えることでデザインも色々変える事が出来る、又ネクタイをボタンで付けるのでＴシャツにボタンを付ければ着用することが出来る。
【図面の簡単な説明】
【０００８】
【図１】ネクタイ表
【図２】ネクタイ裏
【図３】図５に図７をＡの穴から入れて上のＢ，Ｃの穴から１本ずつ出した図
【図４】図５の結び目を包むネクタイの表の布
【図５】ネクタイ結び目の三角形状
【図６】図５を包む布
【図７】図５のＡの穴から上のＢ，Ｃの穴に通すネクタイの裏の布
【図８】図５の中に入れるプラスチック製、形が崩れない物であれば材質は限定しない。
【符号の説明】
【０００９】（イ）ボタン  （ロ）ボタンの穴  （ハ）ワンポイント、アクセサリー
（Ａ，Ｂ，Ｃ）図７の布を出す穴
【図１】
2012251285.tif 000003
【図２】
2012251285.tif 000004
【図３】
2012251285.tif 000005
【図４】
2012251285.tif 000006
【図５】
2012251285.tif 000007
【図６】
2012251285.tif 000008
【図７】
2012251285.tif 000009
【図８】
2012251285.tif 000010
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
本商品のネクタイは最初から形が出来ている。ネクタイをシャツの襟の下決まった場所にボタンを付けネクタイにはボタンの穴を空けてあるのでネクタイを簡単に着用出来るので時間を気にしない、又シャツのセンターから左右に乱れる事も無い、少しネクタイを緩める時はネクタイの三角形状の所が上下にスライド出きるので下に引けば緩める事が出来るネクタイ
【請求項２】
本商品ネクタイの結び目の三角形状は金型を作りその中にポリウレタンかスポンジゴムの原料を入れ固めて出来ている物の中に。金型で作成したプラスチック製の穴の開いたＹ字の（デザインにより穴の大きさを変える）物を入れてその中からネクタイの裏の布をＹ字の下の穴から上の左右の穴に１本ずつ通して上下にスライド出来るようにする。結び目を下にスライドする時抜けないようにネクタイの裏の２本を合わせ縫いするネクタイの表面結び目の三角形状を包む布、裏の２本の布もそれぞれ色や柄を変る事が出来るネクタイ結び目の三角形状の金型の形を変える事で太め、細め、デザイン製の有るネクタイを作れる方法も有る
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明は最初からネクタイの形が出来ていて、早く綺麗に付けられ又結び目の三角形状の金型が変えられるので色々なネクタイをデザイン出来る。
【背景技術】
【０００２】結ぶのが面倒で、結ぶのに時間を要する、又子供、若い世代の為のファッション製のあるデザインが無い。
【発明が解決しようとする課題】
【０００３】従来のネクタイは（１）結ぶのに時間を要した。（２）結び目がシャツのセンターから左右に乱れる。（３）結び目が崩れ、だらしない印象を与える。（４）ネクタイの結び目が三角に決まっているのでデザイン製に欠けている。
【課題を解決する手段】
【０００４】本発明は最初からネクタイの形が出来ている物をシャツの襟の下決まった所にボタンで着用するので上の（１．２．３．）はクリア出来る。上の（４）の場合結び目の三角形状を金型で作りその中にポリウレタンかスポンジゴムの原料を入れ固め作成するのでその金型の形や大きさを変える事で色々なデザインのネクタイが出来る。
【発明の効果】
【０００５】本発明により今までとは、発想を変えて最初からネクタイの形を作る方法でネクタイを面倒で着用する機会の少ない成人、子供、若い世代にもネクタイを簡単に着用する事と、ファッション製を高める事によりアクセサリー感覚で結ばずに着用できるネクタイ
【発明を実施するための形態】
【０００６】本発明の図面を参考に説明する（Ａ）結び目三角形状図５を、ネクタイ表の上の部分図４で包みミシンで縫い上げ結び目を作成する（Ｂ）作成したあと、図７を図５のＡの穴から入れて上のＢ，Ｃの穴から１本ずつ出す（Ｃ）その後図６を作成したネクタイ結び目の三角形状を包む。一連の作業が終わり、図１のネクタイの形になる（Ｄ）図１の様に左右にボタンの穴を開けてあるネクタイをシャツの襟の下決まった場所に付けてあるボタンに着用する。
【発明の効果】
【０００７】本発明は綺麗に簡単に付けられネクタイの表布、裏の２本の布や結び目の三角形状を包む布の色、柄を組み変える方法でデザインも色々変える事が出来る、又ネクタイにボタンの穴を開けるのでＴシャツにもボタンを付ければ着用することが出来るネクタイである
【図面の簡単な説明】
【０００８】
【図１】ネクタイを完成した図
【図２】完成したネクタイを裏から見た図
【図３】図５の三角形状の中に、図７ネクタイの裏の部分を図５の下Ａの穴から入れて上のＢ、Ｃの穴から１本ずつ出した図、
【図４】ネクタイの表部分で図５の結び目の三角形状を上の部分で包むネクタイの表の布
【図５】ネクタイの結び目の三角形状
【図６】本来あるネクタイの結び目の折り返しの部分の役割をする布で上下の部分に１０ミリ位折り目を付けて結び目を包む様に合わせ縫いする
【図７】ネクタイの裏の部分で図５の下のＡの穴から上のＢＣの穴に通すネクタイの裏の布
【図８】三角形状の図５の中に入れるＹ字の物（プラスチック製）
【符号の説明】
【０００９】（イ）ボタン穴（ロ）アクセサリ（Ａ，Ｂ，Ｃ）ネクタイ裏の２本の布を出す穴